(57)【特許請求の範囲】
【請求項１】
真空器具であって、
真空吸引物のための汚れ捕集容器（１４）と、該汚れ捕集容器（１４）に吸引室（２８）を介して負圧作用を施すための吸引ユニット（２４）と、該吸引ユニット（２４）によって吸い込まれる空気の流れ方向において前記汚れ捕集容器（１４）と前記吸引室（２８）との間に配置された少なくとも１つのフィルタ・エレメント（３２）と、前記吸引ユニット（２４）のための電気エネルギーを提供するための少なくとも１つの再充電可能なバッテリ（４８，５０）と、該少なくとも１つのバッテリ（４８，５０）を当該真空器具（１０）に保持するための少なくとも１つのバッテリ受容部（６０，６２）とを備える真空器具において、
当該真空器具（１０）はフィルタ・カバー（７４）を備えており、該フィルタ・カバーは、前記少なくとも１つのフィルタ・エレメント（３２）が覆われる閉位置から、前記少なくとも１つのフィルタ・エレメント（３２）を清浄空間側で当該真空器具（１０）から取り外すことができ且つ当該真空器具（１０）内に挿入することができる取り外し位置へ、またその逆の方向に移動可能であり、前記フィルタ・カバー（７４）は、前記少なくとも１つのバッテリ（４８，５０）のための前記少なくとも１つのバッテリ受容部（６０，６２）を備えることを特徴とする、真空器具。
【請求項２】
前記少なくとも１つのバッテリ受容部（６０，６２）が、前記フィルタ・カバー（７４）の、前記吸引室（２８）とは反対側に配置されていることを特徴とする、請求項１に記載の真空器具。
【請求項３】
前記少なくとも１つのバッテリ受容部（６０，６２）が、前記フィルタ・カバー（７４）の上側に配置されていることを特徴とする、請求項１又は２に記載の真空器具。
【請求項４】
前記真空器具（１０）が、前記少なくとも１つのフィルタ・エレメント（３２）を清浄するためのフィルタ清浄装置（７６）を備えることを特徴とする、請求項１〜３のいずれか１項に記載の真空器具。
【請求項５】
前記フィルタ清浄装置（７６）は、前記フィルタ・カバー（７４）上に取り付けられていることを特徴とする、請求項４に記載の真空器具。
【請求項６】
前記フィルタ・カバー（７４）が閉位置で、又は該フィルタ・カバー（７４）上に取り付けられたフィルタ清浄装置（７６）が前記フィルタ・カバー（７４）の閉位置で、前記吸引室（２８）を密閉することを特徴とする、請求項１〜５のいずれか１項に記載の真空器具。
【請求項７】
前記フィルタ・カバー（７４）は、揺動軸（８８）を中心として揺動可能であるように前記真空器具（１０）に取り付けられていることを特徴とする、請求項１〜６のいずれか１項に記載の真空器具。
【請求項８】
前記真空器具（１０）は、前記フィルタ・カバー（７４）を取り外し位置で係止するための第１係止装置（９６）を備えることを特徴とする、請求項１〜７のいずれか１項に記載の真空器具。
【請求項９】
前記真空器具（１０）はバッテリ区画（４６）とバッテリ区画カバー（４２）とを備え、前記バッテリ区画内では、前記少なくとも１つのバッテリ（４８，５０）と前記少なくとも１つのバッテリ受容部（６０，６２）とが配置されており、前記バッテリ区画カバーは、該バッテリ区画カバー（４２）が前記バッテリ区画（４６）を閉じる閉位置から、該バッテリ区画（４６）が開いている開位置へ、そしてその逆の方向に移動可能であることを特徴とする、請求項１〜８のいずれか１項に記載の真空器具。
【請求項１０】
前記真空器具（１０）は、該バッテリ区画カバー（４２）を開位置で係止するための第２係止装置（１００）を備えることを特徴とする、請求項９に記載の真空器具。
【請求項１１】
前記バッテリ区画カバー（４２）は、前記少なくとも１つのバッテリ（４８，５０）が前記バッテリ区画（４６）から取り外されているときだけ該開位置で係止することができることを特徴とする、請求項１０に記載の真空器具。
【請求項１２】
取り外し位置にある前記フィルタ・カバー（７４）と開位置にある前記バッテリ区画カバー（４２）とを、それぞれの閉位置への移動を防止するために互いに係止することができることを特徴とする、請求項９〜１１のいずれか１項に記載の真空器具。
【請求項１３】
前記フィルタ・カバー（７４）を除いて、前記バッテリ区画カバー（４２）を係止するための更なる係止装置は設けられておらず、且つ、前記バッテリ区画カバー（４２）を除いて、前記フィルタ・カバー（７４）を係止するための更なる係止装置も設けられていないことを特徴とする、請求項１２に記載の真空器具。
【請求項１４】
前記バッテリ区画カバー（４２）は、第２揺動軸（４４）を中心として揺動可能であるように前記真空器具（１０）に取り付けられていることを特徴とする、請求項９〜１３のいずれか１項に記載の真空器具。
【請求項１５】
前記フィルタ・カバー（７４）は第１揺動軸（８８）を中心として揺動するように前記真空器具に取り付けられ、前記第１揺動軸（８８）と前記第２揺動軸（４４）とは異なるものであることを特徴とする、請求項１４に記載の真空器具。
【請求項１６】
前記真空器具（１０）は、前記少なくとも１つのバッテリ（４８，５０）を冷却するための冷却装置（１１２）を備えていることを特徴とする、請求項１〜１５のいずれか１項に記載の真空器具。
【請求項１７】
前記冷却装置（１１２）は、前記少なくとも１つのバッテリ（４８，５０）からの排気のための少なくとも１つの排気ダクト（１１８）を備えており、前記排気ダクト（１１８）は、前記少なくとも１つのバッテリ受容部（６０，６２）に、排気のための少なくとも１つの流入開口（１２４）を有していることを特徴とする、請求項１６に記載の真空器具。
【請求項１８】
前記少なくとも１つの流入開口（１２４）は、前記少なくとも１つのバッテリ受容部（６０，６２）の、前記少なくとも１つのバッテリ（４８，５０）のための支持面（６４）に設けられた貫通口として形成されており、該貫通口は前記少なくとも１つのバッテリ（４８，５０）のハウジング開口（１２６）と少なくとも部分的にオーバラップしていることを特徴とする、請求項１７に記載の真空器具。
【請求項１９】
前記フィルタ・カバー（７４）は、少なくとも部分的に、前記少なくとも１つの排気ダクト（１１８）を形成する中空体として形成されていることを特徴とする、請求項１７又は１８に記載の真空器具。
【請求項２０】
前記冷却装置（１１２）は、前記少なくとも１つのバッテリ（４８，５０）へ冷却空気を搬送し、且つ／又は該少なくとも１つのバッテリ（４８，５０）からの排気を搬送するための少なくとも１つのファンホイール（１２２）を備えていることを特徴とする、請求項１６〜１９のいずれか１項に記載の真空器具。
【請求項２１】
前記少なくとも１つのファンホイール（１２２）は、前記冷却装置（１１２）の少なくとも１つの排気ダクト（１１８）内に配置されていることを特徴とする、請求項２０に記載の真空器具。
【請求項２２】
前記真空器具（１０）は、接続ケーブルを有するハイブリッド真空クリーナであり、該接続ケーブルは、前記吸引ユニット（２４）に電気エネルギーを提供するためのエネルギー供給網に接続可能であることを特徴とする、請求項１〜２１のいずれか１項に記載の真空器具。
【発明の詳細な説明】
【技術分野】
【０００１】
本発明は、真空器具であって、真空吸引物のための汚れ捕集容器と、汚れ捕集容器に吸引室を介して負圧作用を施すための吸引ユニットと、吸引ユニットによって吸い込まれる空気の流れ方向において汚れ捕集容器と吸引室との間に配置された少なくとも１つのフィルタ・エレメントと、該吸引ユニットのための電気エネルギーを提供するための少なくとも１つの再充電可能なバッテリと、少なくとも１つのバッテリを真空器具に保持するための少なくとも１つのバッテリ受容部とを具備する真空器具に関する。
【発明の概要】
【発明が解決しようとする課題】
【０００２】
本発明の目的は、使用者にとってより扱いやすい形で操作可能な、このような種類の真空器具を提供することにある。
【課題を解決するための手段】
【０００３】
上記タイプの真空器具に関して、上記目的は、本発明によれば、当該真空器具がフィルタ・カバーを備えており、該フィルタ・カバーが、前記少なくとも１つのフィルタ・エレメントが覆われる閉位置から、前記少なくとも１つのフィルタ・エレメントを清浄空間側で当該真空器具から取り外すことができ且つ当該真空器具内に挿入することができる取り外し位置へ、またその逆の方向に移動可能であり、前記フィルタ・カバーは、前記少なくとも１つのバッテリのための少なくとも１つのバッテリ受容部を備えることによって解決される。
【０００４】
本発明による真空器具において、使用者は、フィルタ・カバーが少なくとも１つのフィルタ・エレメントを覆って吸引室を閉じる閉位置から、取り外し位置へフィルタ・カバーを移動することができる。フィルタ・カバーの取り外し位置では、少なくとも１つのフィルタ・エレメントを真空器具から、使用者にとって扱いやすい態様で清浄空間側において取り外すことができる。従って使用者は、少なくとも１つのフィルタ・エレメントを汚れ側から、すなわち、フィルタ・エレメントの、汚れ捕集容器に面した側から取り外さないで済む。加えて、フィルタ・カバーは、少なくとも１つのバッテリのための少なくとも１つのバッテリ受容部を有する点において更なる機能を有している。バッテリはこのように真空器具のフィルタ・カバーに保持されている。真空器具へのアクセス手段が１つにまとまっている結果、使用者は真空器具メンテナンス中に典型的には最も頻繁に行わなければならないメンテナンス作業、つまり少なくとも１つのフィルタ・エレメントを取り換える作業、及び少なくとも１つの再充電可能なバッテリを交換する作業を、使用者にとって扱いやすい態様で実施することができる。加えて、使用者は、少なくとも１つのフィルタ・エレメントを取り換えるために、そして少なくとも１つの再充電可能なバッテリを交換するために、真空器具のどこを掴むべきかに注意を払う必要はない。これに関連して使用者が混同することはもはやないので、本発明による真空器具は、使用者にとってメンテナンスがより容易なものになる。
【０００５】
２つの機能、つまり、少なくとも１つのフィルタ・エレメントを覆う機能、及び少なくとも１つのバッテリを保持する機能をフィルタ・カバーに組み込む結果、真空器具のよりシンプルな構造、及びよりコンパクトな設計を達成することもできる。設計がコンパクトになればなるほど、本発明による真空器具の可動度が高くなる。このことから、特に真空器具の設計がバッテリ操作式真空器具として特化されている場合に有利であることが判っる。
【０００６】
少なくとも１つのバッテリ受容部が、フィルタ・カバーの、吸引室とは反対側に配置されていると有利である。それというのも、このことは、少なくとも１つのバッテリを汚れからよりよく保護するのを可能にするからである。
【０００７】
少なくとも１つのバッテリ受容部は、好ましくは、フィルタ・カバーの上側に配置されている。この関連において、場所及び位置を表す用語、例えば「上側」、「下側」、「水平」、及び「鉛直」などは、真空器具が水平方向に向いた載置面上に位置決めされている真空器具の作業位置に関連して解釈されるべきである。フィルタ・カバーの上側に少なくとも１つのバッテリ受容部を配置することにより、使用者が少なくとも１つのバッテリを交換するためにこれにアクセスするのをより容易にする。加えて、少なくとも１つのバッテリの重量は、例えば少なくとも１つのフィルタ・エレメントを覆うフィルタ・カバーの縁部上に重量を導くことによって、吸引室を密閉するために用いることもできる。
【０００８】
真空器具は、有利には、少なくとも１つのフィルタを清浄するためのフィルタ清浄装置を備える。このことは、少なくとも１つのフィルタ・エレメントを清浄する結果として、真空器具の吸引力を実質的にコンスタントなレベルに維持するのを可能にする。加えて、少なくとも１つのフィルタ・エレメントの取り換えインターバルが長くなる。フィルタ清浄装置は手動で作動させるようになっていてよい。また、フィルタ清浄装置は、真空器具の電子制御装置によって、例えば時間制御式に自動で作動させるようになっていてもよい。加えて、真空吸引物のタイプ及び量に応じてフィルタ清浄装置を必要に応じて制御することも考えられる。
【０００９】
フィルタ清浄装置がフィルタ・カバー上に取り付けられ、特に好ましくは吸引室内に配置されていると有利である。このことは真空器具のシンプルな構造を有する構成、及びコンパクトな設計を可能にする。フィルタ・カバーを取り外し位置に移動する結果として、フィルタ清浄装置はさらに、使用者がメンテナンスのために容易にアクセスできるようになり、このため本発明に係る真空器具のためのフィルタ清浄装置はまた、使用者にとって扱いやすい態様でメンテナンスすることができる。
【００１０】
フィルタ・カバーが閉位置で、又はフィルタ・カバー上に取り付けられたフィルタ清浄装置がフィルタ・カバーの閉位置で、吸引室を密閉すると有利である。このことは、シンプルな構造を有する真空器具の構成を可能にする。このような構成では、吸引室の別個のシーリングを省くことができる。
【００１１】
フィルタ・カバーは好ましくは、第１揺動軸を中心として揺動可能であるように真空器具に取り付けられている。これにより、使用者にとって扱いやすい態様で、フィルタ・カバーを閉位置から取り外し位置へ、そしてその逆の方向へ規定の様式で移動することができる。例えば第１揺動軸は水平方向に向けられ、且つフィルタ・カバーを閉位置から取り外し位置への移動のために上方に向かって揺動させることができ、このため使用者は少なくとも１つのフィルタ・エレメントに容易にアクセス可能である。
【００１２】
真空器具が、フィルタ・カバーを取り外し位置で係止するための第１係止装置を備えると有利である。その結果として、使用者はフィルタ・カバーを取り外し位置で保持する必要がなくなり、ひいては少なくとも１つのフィルタ・エレメントの取り換えを単純にする。
【００１３】
これに相応して、真空器具は、特に吸引室を確実に密閉するために、フィルタ・カバーを閉位置でロックするための第１ロック装置を有していてよい。
【００１４】
第１係止装置及び第１ロック装置は、例えば、それぞれラッチ装置として構成されていてよい。それぞれの事例においてクランプ装置としての構成も考えられる。第１係止装置及び／又は第１ロック装置は、使用者にとって操作しやすいように、有利には手動で作動させることができる。
【００１５】
真空器具は好ましくはバッテリ区画とバッテリ区画カバーとを備え、バッテリ区画内では、少なくとも１つのバッテリと少なくとも１つのバッテリ受容部とが配置されており、バッテリ区画カバーは、バッテリ区画カバーがバッテリ区画を閉じる閉位置から、バッテリ区画が開いている開位置へ、そしてその逆の方向に移動可能である。閉位置では、バッテリ区画カバーは少なくとも１つのバッテリ受容部と、バッテリ受容部内に取り付けられた少なくとも１つのバッテリとを覆う。バッテリ区画カバーはこうして、真空器具の適切な機能を保証すべく、少なくとも１つのバッテリと少なくとも１つのバッテリ受容部とを汚れ及び湿分から保護する。バッテリ区画はバッテリ区画カバーを閉位置から開位置へ移動することによって開かれる。このように、使用者は少なくとも１つのバッテリに、例えばこれを交換するためにアクセスすることができる。
【００１６】
少なくとも１つのフィルタ・エレメントの取り換えのためにフィルタ・カバーも同様に閉位置から取り外し位置へ移動させるべく、バッテリ区画カバーが閉位置から開位置へ移動された後でのみ使用者がフィルタ・カバーにアクセスできるようにされてもよい。
【００１７】
真空器具は、好ましくは、バッテリ区画カバーを開位置で係止するための第２係止装置を備えている。これにより、使用者は少なくとも１つのバッテリを交換している間、そして任意には、少なくとも１つのフィルタ・エレメントを取り換えるためにフィルタ・カバーを閉位置から取り外し位置へ、またその逆の方向へ移動している間、バッテリ区画カバーを開位置で保持せずに済む。
【００１８】
同様に、少なくとも１つのバッテリを汚れ及び湿分から確実に信頼性高く保護すべく、真空器具は第２ロック装置を有するようになっていてもよい。第２ロック装置によって、バッテリ区画カバーを閉位置でロックできてもよい。
【００１９】
第２係止装置及び第２ロック装置はそれぞれラッチ装置として構成されていてよい。それぞれの事例においてクランプ装置としての構成も考えられる。第２係止装置及び／又は第２ロック装置は、使用者にとって操作しやすいように、有利には手動で作動させることができる。
【００２０】
バッテリ区画カバーは、好ましくは、少なくとも１つのバッテリがバッテリ区画から取り外されているときにだけ開位置で係止可能である。販売の承認を得るために、本発明に係る真空器具の特定の構成は水跳ねかけ試験を受けなければならない。要件によれば、このタイプの水跳ねかけ試験は、真空器具のカバーが開いた状態で実施しなければならない。すなわち、バッテリ区画カバーは閉位置を成していなければならず、且つフィルタ・カバーは取り外し位置になければならない。従って、本発明による真空器具のこの実施態様では、水跳ねかけ試験中、バッテリ区画内に少なくとも１つのバッテリが配置されていないことが保証され得る。これは、少なくともバッテリが高性能充電池である場合に特に重要である。高性能充電池は、冷却のためにハウジング開口を有している場合があり、この開口を通して水跳ねかけ試験中に噴霧水が侵入することを原則として排除することはできない。しかしながら、このことは、水跳ねかけ試験前にバッテリ区画から少なくとも１つのバッテリを取り外し、取り外して初めて、水跳ねかけ試験を実施するためにバッテリ区画カバーを開位置で係止することができる。
【００２１】
取り外し位置にあるフィルタ・カバーと開位置にあるバッテリ区画カバーとを、それぞれの閉位置への移動を防止するために互いに係止することができると有利である。こうして特にシンプルな構造を有する真空器具の構成を得ることができる。この事例において、フィルタ・カバーをその取り外し位置で係止するための上述の第１係止装置は、いわばバッテリ区画カバーによって形成されているか、又はバッテリ区画カバー上に配置されている。同様に、バッテリ区画カバーをその開位置で係止するための上述の第２係止装置は、フィルタ・カバーによって形成されているか、又はフィルタ・カバー上に配置されている。従って、バッテリ区画カバーとフィルタ・カバーとは、取り外し位置及び開位置において相互に係止するためのアセンブリを形成する。
【００２２】
特にシンプルな構造を有する構成において、開位置にあるバッテリ区画カバーと、取り外し位置にあるフィルタ・カバーとは互いにラッチ係合可能である。
【００２３】
真空器具の構造的な構成はさらに、フィルタ・カバーを除いて、バッテリ区画カバーを係止するための更なる係止装置が設けられておらず、且つ、バッテリ区画カバーを除いて、フィルタ・カバーを真空器具に係止するためのさらなる係止装置も設けられていないことによって、さらに単純化されることが有利である。
【００２４】
バッテリ区画カバーは、好ましくは、第２揺動軸を中心として揺動可能であるように真空器具に取り付けられている。このことは、使用者がバッテリ区画カバーをその閉位置から開位置へ、そしてその逆の方向へ規定の様式で移動することを可能にする。第２揺動軸は例えば水平方向に向けられ、且つ、バッテリ区画カバーを上方に向かって揺動させることによって、使用者が少なくとも１つのバッテリにアクセスすることをより容易にすることができる。
【００２５】
第１揺動軸と第２揺動軸とは異なるものであり、例えば互いに平行であって、それぞれの事例において水平方向に向けられていると有利である。フィルタ・カバーがその取り外し位置に、且つバッテリ区画カバーがその開位置にあり、またバッテリ区画カバーとフィルタ・カバーとが互いに係止されていると、フィルタ・カバー及びバッテリ区画カバーは、上記のように、それぞれの閉位置へ移動されるのが防止される。
【００２６】
真空器具は、好ましくは、少なくとも１つのバッテリを冷却するための冷却装置を備えている。これにより、少なくとも１つのバッテリの過熱を回避し、そして真空器具の適切な機能を保証することができる。
【００２７】
冷却装置は、有利には、少なくとも１つのバッテリからの排気のための少なくとも１つの排気ダクトを備えており、排気ダクトは、少なくとも１つのバッテリ受容部に、排気のための少なくとも１つの流入開口を有している。このことは、少なくとも１つのバッテリからの廃熱が、その発生場所から搬出されるのを可能にすることによって、少なくとも１つのバッテリの信頼性高い冷却を保証する。
【００２８】
少なくとも１つの流入開口は、少なくとも１つのバッテリ受容部の、少なくとも１つのバッテリのための支持面に設けられた貫通口として形成されており、貫通口は少なくとも１つのバッテリのハウジング開口と少なくとも部分的にオーバラップしていると有利である。少なくとも１つのバッテリからの高温排気は少なくとも１つのハウジング開口から出ることができ、且つ、少なくとも１つの貫通口を通って少なくとも１つの排気ダクト内に流入することができる。実地において、少なくとも１つのバッテリからの廃熱がこのように特に信頼性高い態様で排出されることが判っている。
【００２９】
冷却装置の構造的にシンプルな実施態様において、フィルタ・カバーは少なくとも部分的に、少なくとも１つの排気ダクトを形成する中空体として形成されている。
【００３０】
冷却装置は、好ましくは、少なくとも１つのバッテリへ冷却空気を搬送し、且つ／又は少なくとも１つのバッテリからの排気を搬送するための少なくとも１つのファンホイールを備えている。ファンホイールを使用することによって、少なくとも１つのバッテリをさらに効果的に冷却することができる。
【００３１】
少なくとも１つのファンホイールは、冷却装置の少なくとも１つの排気ダクト内に配置されていると特に有利である。少なくとも１つのファンホイールによって生成され得る空気流は、少なくとも１つのバッテリの特に効果的な冷却を可能にする。
【００３２】
真空器具は、有利には、接続ケーブルを有するハイブリッド真空クリーナであり、接続ケーブルは、吸引ユニットに電気エネルギーを提供するためのエネルギー供給網に接続可能である。これは、真空器具のより多面的な使用を可能にする。真空器具はエネルギー供給網でもバッテリ電力でも操作することができる。さらに、少なくとも１つの接続ケーブルがエネルギー供給網に接続されると、少なくとも１つのバッテリを充電できるようになっていてもよい。
【００３３】
本発明の好ましい実施態様の以下の記載内容を、図面との関連において本発明をより詳細に説明するために用いる。
【図面の簡単な説明】
【００３４】
【図１】図１は、本発明による真空器具の好ましい実施態様を示す斜視図である。
【図２】図２は、図１の真空器具の器具上側部分を、バッテリ区画カバーを省くことによって真空器具の２つの再充電可能なバッテリが見える状態で示す斜視図である。
【図３】図３は、図２の器具上側部分を、器具上側部分から真空器具の２つのバッテリを取り外した後の状態を示す図である。
【図４】図４は、器具上側部分の縦断面図であって、真空器具のバッテリ区画カバーが開位置にあり、且つ真空器具のフィルタ・カバーが閉位置にある状態で示す図である（図６の４−４線に沿った断面図に相当）。
【図５】図５は、図４の器具上側部分を、フィルタ・カバーが取り外し位置にあり、且つフィルタ・カバーとバッテリ区画カバーとが互いに係止されている状態で示す図である。
【図６】図６は、図４の線６−６に沿って示す（部分）断面図である。
【発明を実施するための形態】
【００３５】
図１は、本発明に係る真空器具の好適な実施態様を示す斜視図であり、全体が符号１０によって示されている。真空器具１０は、固体及び液体を吸引することができるいわゆる湿乾式（wet-dry）真空クリーナとして構成されている。真空器具は器具下側部分１２を備えており、器具下側部分１２はそれ自体周知の形式で、真空吸引物を分離するための汚れ捕集容器１４を有しており、また、ローラ１６、１８及びホイール（１つのホイール２０だけが示されている）によって床面上で動かすことができる。
【００３６】
真空器具１０はまた器具上側部分２２を備えており、器具上側部分２２は真空器具１０の作業位置において器具下側部分１２上に解離可能に取り付けられており、器具下側部分に固定することができる。「吸引ヘッド」としても参照される器具上側部分２２において、図４及び５に概略的にのみ示された吸引ユニット２４が、収容室２６内に収容されている。吸引ユニット２４によって、器具上側部分２２内に形成された吸引室２８を介して汚れ捕集容器１４内に負圧を発生させることができるので、吸引ホース（図示せず）を介して汚れ捕集容器１４内に真空引き物質を吸引することができる。吸引ホースは、器具上側部分２２の接続エレメント３０に結合される。
【００３７】
吸引ユニット２４によって吸引される空気の流れ方向において、汚れ捕集容器１４と吸引室２８との間には、操作者によって解離可能なフィルタ・エレメント３２が取り付けられている。折り畳み式フィルタであってよいフィルタ・エレメント３２は例えば、それ自体公知の形式で周縁３４において汚れ捕集容器１４の方向に支持されていてよい（図４及び５に部分的にのみ示されている）。
【００３８】
真空器具１０に接続エレメント３０を配置することによって、真空器具の前側３６が画定される。その反対側には、真空器具１０は後側３８を有している。本事例において、位置及び方向を表す他の用語、例えば「下側」、及び「上側」などは、真空器具１０の図１に示されている作業位置、すなわち真空器具１０が、水平方向に向けられた載置面（図示せず）上に位置している作業位置に関連するものとして解釈するべきである。
【００３９】
器具上側部分２２の上側４０から後側３８への移行部に、器具上側部分２２はバッテリ区画カバー４２を備えている。バッテリ区画カバー４２は、器具上側部分の横方向に延びる水平方向揺動軸４４を中心として揺動可能であるように、器具上側部分２２に取り付けられており、ひいては図１に示された閉位置から図４及び５に示された開位置へ、そしてその逆の方向へ移動可能である。
【００４０】
バッテリ区画カバー４２は、開位置では、その下側に配置されたバッテリ区画４６を開く。バッテリ区画内には２つの充電可能なバッテリ４８及び５０を取り外し可能に位置決めすることができる。バッテリ４８及び５０は、特に吸引ユニット２４に電気エネルギーを提供するために使用され、これにより真空器具１０は、エネルギー供給網に接続されていないときにも操作することができる。バッテリ区画カバー４２は、閉位置では、バッテリ区画４６と、バッテリ区画内に収容されたバッテリ４８及び５０とを覆い、これにより、これらを汚れ及び湿分から保護する（図１）。
【００４１】
バッテリ区画カバー４２は、閉位置では、ロック装置５２によって器具上側部分２２のキャリア部分５４にロックすることができる。これを目的として、キャリア部分５４はロック・エレメント５６を有しており、ロック・エレメント５６は、例えばラッチ係合によって、バッテリ区画カバー４２の対応するロック・エレメント５８と協働することができる。
【００４２】
真空器具１０は、バッテリ４８及び５０によって操作できるだけではなく、エネルギー供給網でも操作することができるハイブリッド真空クリーナである。これを目的として、真空器具１０は図示されていない接続ケーブルを備えており、接続ケーブルは、従来の態様で、真空器具１０に電気エネルギーを供給するために、エネルギー供給網に接続するためのプラグを有している。
【００４３】
バッテリ４８及び５０を取り付けるために、器具上側部分２２は２つのバッテリ受容部６０及び６２を有しており、これらバッテリ受容部は真空器具１０の中央長手方向平面に対して互いに鏡像形態を有している。バッテリ４８及び５０は同一の形態を有しており、そしてそれぞれバッテリ受容部６０及び６２内に挿入されることができるので、以下ではバッテリ４８及びバッテリ受容部６０についてのみ論じる。
【００４４】
特に図３及び６から明らかなように、バッテリ受容部６０は、バッテリ４８のハウジング６６のための板状の支持エレメント６４を備えている。さらに、ハウジング６６は、支持エレメント６４に隣接する２つのＬ字形ガイド６８及び７０と押し込み嵌合（positive-fit）式に係合することができ、これによりバッテリ４８は押し込み嵌合結合を介してバッテリ受容部６０内に確実に保持される。図６に関連して考慮しなければならないのは、バッテリ４８及び５０の概略的な外輪郭だけが破線によって示されていて、明確さの理由から、ガイド６８及び７０内のバッテリ４８及び５０の押し込み嵌合位置は示されていないことである。
【００４５】
バッテリ４８と電気的に接触接続するために、電気接点を有する接点エレメント７２が使用され、バッテリ４８は、これを目的として、図示されていない対応する接点エレメントを有している。
【００４６】
バッテリ受容部６０及び６２は、フィルタ・エレメント３２を覆うためのほぼ板状のフィルタ・カバー７４によって構成されており、フィルタ・カバー７４の上側にバッテリ受容部が形成されている。フィルタ・カバー７４は、吸引室２８を上側で仕切るように役立ち、そしてフィルタ・エレメント３２に面した、フィルタ・カバー７４の下側には、フィルタ清浄装置７６が取り付けられている。
【００４７】
フィルタ清浄装置７６は、特に時間制御式に、清浄空間側でフィルタ・エレメント３２に作用する圧力サージによって、フィルタ・エレメント３２を自動清浄するためのそれ自体公知の装置である。圧力サージは汚れ捕集容器１４の方向にフィルタ・エレメント３２に浸透し、これにより汚れ捕集容器の側でフィルタ・エレメント３２に付着した汚れ粒子は、フィルタ・エレメント３２から解離されて汚れ捕集容器１４内に落下する。
【００４８】
圧力サージを開始するために、「付加空気（additional air）」として参照される外部空気の、吸引室２８内への流入が必要となる。これを目的として、フィルタ清浄装置７６は、自動作動可能な閉鎖弁７８を備えている。閉鎖弁は、真空器具１０の図示されていない、やはりそれ自体公知の電子制御装置によって時間依存式に制御されることができる。閉鎖弁７８を開くことによって、周囲からの付加空気が、フィルタ・カバー７４と器具上側部分２２の残りの部分との間に形成されたギャップを通り、そしてフィルタ清浄装置７６を通って吸引室２８内に入り、そして清浄空間側でフィルタ・エレメント３２に作用することができる。
【００４９】
吸引室２８はフィルタ清浄装置７６によってシールされている。フィルタ清浄装置７６は、縁部３４に隣接して壁８０でフィルタ・エレメント３２の縁部８２にシールするように当接することができる(図４）。加えて、吸引室２８は境界８４によって壁８０とは反対側でシールされている。境界８４は貫通口８６と境を接しており、この貫通口８６を介して、吸引室２８と吸引ユニット２４のための保持室２６とは互いに開口している。
【００５０】
バッテリ区画カバー４２と同様に、フィルタ・カバー７４も、器具上側部分２２上に揺動可能に取り付けられ、特に、揺動軸４４に対して平行に向けられた水平方向の揺動軸８８を中心として揺動することができる。フィルタ・カバー７４はこのように器具上側部分２２に対して、図２〜４に示された閉鎖位置から図５に示された取り外し位置へ、そしてその逆の方向へ移動可能である。
【００５１】
閉鎖位置で、フィルタ・カバー７４は、吸引室２８、ひいては特にフィルタ・エレメント３２を覆う。加えて、上述のように、吸引室２８はフィルタ清浄装置７６によって密閉される。このことは真空器具１０の通常作業状態において生じる。
【００５２】
フィルタ・カバー７４をその閉位置で器具上側部分２２にロックするために、例えばラッチ装置の形態を成すロック装置９０が設けられている。これを目的として、器具上側部分２２にはロック・エレメント９２が配置されており、そしてフィルタ・カバー７４にはロック・エレメント９４が配置されている（図５）。
【００５３】
フィルタ・カバー７４が閉位置から取り外し位置へ移動されたら、フィルタ・エレメント３２は吸引室２８を通して使用者によって清浄空間側で器具上側部分２２から取り外すことができる。これに相応して、フィルタ・エレメント３２を清浄空間側で吸引室２８を通して器具上側部分２２内に挿入し、そして縁部３４に当接させることができる。使用者はこのように、汚れることがほとんど又は全くなしに、使用者にとって扱いやすい形でフィルタ・エレメント３２を取り換えることができる。
【００５４】
加えて、フィルタ・カバー７４の取り外し位置にあるフィルタ清浄装置７６には、使用者がアクセスしやすい。フィルタ清浄装置７６はこうして、使用者にとって扱いやすい形でメンテナンスすることができる。フィルタ・カバー７４を上方に向かって揺動させることにより、使用者によるフィルタ・エレメント３２及びフィルタ清浄装置７６へのアクセスが単純化され、これにより真空器具１０を予め反転させること、及び／又は使用者が過度に身をかがめることが必要でなくなる。
【００５５】
図５から明らかなように、バッテリ区画カバー４２は開位置で係止可能であり、そしてフィルタ・カバー７４は取り外し位置で係止可能であり、特にバッテリ区画カバー４２とフィルタ・カバー７４とは互いに係止可能である。従って、バッテリ区画カバー４２は、係止部材９８を有するフィルタ・カバー７４に対する係止装置９６を有しており、そしてフィルタ・カバー７４は、係止部材１０２を有するバッテリ区画カバー４２に対する係止装置１００を有している。
【００５６】
係止部材９８及び１０２はラッチ・エレメントであり、これらラッチ・エレメントは、バッテリ区画カバー４２の開位置及びフィルタ・カバー７４の取り外し位置において互いに係合することができる(図５）。係止部材９８は、バッテリ区画カバー４２の下側に配置されたラッチ・フックであり、係止部材１０２は、フィルタ・カバー７４の上側に配置されたラッチ突起である。このラッチ突起は、弾性エレメント１０４によって係止部材９８に対して付勢されており、フィルタ・カバー７４が開いているときには、フィルタ・カバーとバッテリ区画カバー４２との間の強制的なラッチ係合が発生する。弾性エレメント１０４の作用に抗してリリース部材１０６を作動させることによって、係止部材９８及び１０２間のラッチ係合を解除することができ、こうしてフィルタ・カバー７４とバッテリ区画カバー４２とをそれぞれの閉位置へ戻す。
【００５７】
しかしながら、開位置にあるバッテリ区画カバー４２と取り外し位置にあるフィルタ・カバー７４とが互いに係止されているときには、これらをそれぞれの閉位置へ揺動させることはできない。それというのも揺動軸４４及び８８は相異なるものであるからである。使用者はフィルタ・エレメント３２及びフィルタ清浄装置７６へ、２つのカバーのうちの一方を保持する必要なしに容易にアクセスすることができるので、バッテリ区画カバー４２とフィルタ・カバー７４とを互いに係止することは使用者にとって有利である。
【００５８】
しかし考慮しなければならないのは、開位置にあるバッテリ区画カバー４２と取り外し位置にあるフィルタ・カバー７４との係止は、バッテリ４８及び５０がそれぞれバッテリ受容部６０及び６２から予め取り外されているときのみ可能であることである。この取り外し実施後初めて、係止部材９８及び１０２を互いにラッチ係合し得るのに十分な大きさで揺動軸８８を中心にしてフィルタ・カバー７４を揺動させることができる。真空器具１０のこのようなタイプの構成は、販売の承認を得るために水跳ねかけ試験を受けなければないという真空器具１０への要件の結果として生じたものである。この水跳ねかけ試験は、カバー４２及び７４が開いた状態で、噴霧水で真空器具１０に噴霧するようになっている。真空器具１０の電気装置内に噴霧水が侵入することは許されない。カバー４２及び７４が互いに係止される前にバッテリ受容部６０及び６２からバッテリ４８及び５０を取り外すことによって、バッテリ４８及び５０は噴霧水から保護されることが保証される。このことは、バッテリが空気を冷却するために上側に流入開口１０８及び１１０を有しており、これらの流入開口内に水が侵入するおそれがあるため重要である。しかしながら、カバー４２及び７４の相互係止状態では、接点エレメント７２は噴霧水から信頼性高く保護され、水跳ねかけ試験に耐えることができる。
【００５９】
バッテリ区画カバー４２とフィルタ・カバー７４とがそれぞれ開位置及び取り外し位置でのみ互いに係止することができ、また真空器具１０は、バッテリ区画カバー４２のための更なる係止装置を有していないので、真空器具１０は、可能な限りシンプルな構造的構成を有することができる。加えて、本発明による真空器具はコンパクトな設計、ひいては高い可動度を有している。このことは、真空器具がバッテリ操作式真空器具として特別に構成されていることにより特に有利である。使用者にとって扱いやすい形で真空器具１０をメンテナンスすることが可能である。それというのも、使用者は、先ずバッテリ区画カバー４２を閉位置から開位置へ移動させ、そして必要であれば続いてフィルタ・カバー７４をその閉位置から取り外し位置へ移動させることによって、バッテリ４８及び５０並びにフィルタ・エレメント３２にただ１つの側からアクセスできるからである。
【００６０】
バッテリ４８及び５０は、操作中に高い熱発生レベルを有する高性能蓄電池である。バッテリ４８及び５０の適切な機能を維持するために、真空器具は、バッテリ４８及び５０を効果的に冷却し得る冷却装置１１２を備えている。
【００６１】
バッテリ４８及び５０の冷却を可能にするために、フィルタ・カバー７４は所定の領域内で中空体として構成されている。フィルタ・カバー７４はベース板１１４（図６）を有しており、このベース板上に支持エレメント６４をバッテリ受容部６０及び６２の領域内で取り付けることによって間隙が形成されている。ベース板１１４上にはバッテリ受容部６０及び６２間にカバー１１６が取り付けられている。こうして一方ではベース板１１４とカバー１１６との間に、そして他方では支持エレメント６４とカバー１１６との間に、排気ダクト１１８が形成される。
【００６２】
後側３８から出発して、排気ダクト１１８は真空器具１０のほぼ中央長手方向平面に沿って延び、そしてフィルタ清浄装置７６の中央でバッテリ受容部６０及び６２に向かってＴ字形に分岐している。フィルタ・カバー７４の、係止部材１０２とは反対側で、排気ダクト１１８は下方に向かって通気室１２０内に開口している。通気室１２０内には、冷却装置１１２のファンホイール１２２が配置されている。
【００６３】
加えて、それぞれの事例において、バッテリ４８及び５０から冷却装置１１２の排気ダクト１１８内へ流入する排気のための複数の流入開口１２４が、支持エレメント６４内に形成されている。流入開口１２４は、バッテリ４８及び５０がそれぞれ受容部６０及び６２内に保持されたときに、バッテリ４８及び５０のハウジング６６の下側に形成された流出開口１２６と整合することができる。これは図６に概略的に示されている。
【００６４】
ファンホイール１１２は、少なくとも真空器具１０のバッテリ・モードにおいて作業する。このことは、排気ダクト１１８内の負圧の発生を可能にし、これにより冷却空気は流入開口１０８及び１１０を通ってバッテリ４８及び５０のハウジング６６内に入ることができる。バッテリ４８及び５０からの排気は流出開口１２６及び流入開口１２４を通って排気ダクト１１８に入ることができ、そしてファンホイール１２２によってこの排気ダクトを通して排出することができる。実地において、このようにしてバッテリ４８及び５０の効果的な冷却を達成し得ることが判っている。
【図１】
0005643435.tif 000002
【図２】
0005643435.tif 000003
【図３】
0005643435.tif 000004
【図４】
0005643435.tif 000005
【図５】
0005643435.tif 000006
【図６】
0005643435.tif 000007